(57)【要約】【課題】床板のロックを解除し跳ね上げる操作を一つの動作で行なえるようにする。【解決手段】床板を一辺側にて回転可能にボックス本体に軸支し、他辺側を跳ね上げ可能に設けた構成を有する物流用ボックスにおいて、床板１５の他辺側に位置し、他辺と並行の軸状を有し、その軸周りに回転可能に上記床板に軸支され、軸芯から半径方向外方へ離れた部分に係合部２１を有する可動ロック部２２と、上記可動ロック部の係合部と係脱可能な係合相手部２４を有する固定ロック部２５と、上記係合部と係合相手部の係合方向へ可動ロック部を付勢するばね手段２６と、上記可動ロック部を軸周りに回転操作するために可動ロック部に設けたハンドル２３を有するものとする。【選択図】          図３
2015003668.tif 000002
【特許請求の範囲】
【請求項１】
床板を一辺側にて回転可能にボックス本体に軸支し、他辺側を跳ね上げ可能に設けた構成を有する物流用ボックスにおいて、
床板の他辺側に位置し、他辺と並行の軸状を有し、その軸周りに回転可能に上記床板に軸支され、軸芯から半径方向外方へ離れた部分に係合部を有する可動ロック部と、
上記可動ロック部の係合部と係脱可能な係合相手部を有する固定ロック部と、
上記係合部と係合相手部の係合方向へ可動ロック部を付勢するばね手段と、
上記可動ロック部を軸周りに回転操作するために可動ロック部に設けたハンドルを有する
物流用ボックスにおける床板ロック装置。
【請求項２】
可動ロック部は直線状の軸から成るとともに、回転の軸から半径方向外方へクランク状に曲げられた係合部を、その軸の両端部に有しており、固定ロック部はクランク状の係合部が係合及び離脱するフック形状の部分から成り、ボックス本体に設けられている
請求項１記載の物流用ボックスにおける床板ロック装置。
【請求項３】
直線状の軸から成る可動ロック部は左右一対の部材で構成され、ハンドルは上記一対の部材を結合しており、左右一対の部材の一体化とハンドルの取り付けを兼ねている
請求項２記載の物流用ボックスにおける床板ロック装置。
【発明の詳細な説明】
【技術分野】
【０００１】
本発明は、床板を一辺側にて回転可能にボックス本体に軸支し、他辺側を跳ね上げ可能に設けた構成を有する物流用ボックスにおける床板ロック装置に関するものである。
【背景技術】
【０００２】
物流業界では、取り扱う商品の種類に応じて、或いは、保管場所の規模や条件に応じて非常に多様な容器や台車類が運搬や保管等に使用される。例えば、カゴ車又はカゴ台車と呼ばれ、台車に檻のようなカゴ構造を設けたものは、台車構造を有するので移動も簡単であり、また、ロールボックス又はロールボックスパレットなどと呼ばれるものは、車輪を有していないものもあり、共に荷役や保管に幅広く用いられている。空荷の状態で跳ね上げ可能な床板を有するものでは、複数台を重ねておくネスティング状態を取ることができるというような利点もある。
【０００３】
跳ね上げ可能な床板を有する物流用ボックスにおいて、貨物の運搬に使用しているときには床板をロックし、ロックを外して跳ね上げる操作が行なわれる。従来は、床板のロックを外すとともに、その状態を保ち、跳ね上げ側の床板を手で持ち上げて跳ね上げ状態とする操作が必要であった。例えば、特開平９−２４９１３１号の場合、床板の把持部を握り、スプリングに抗して把持部を引き出し、把持部を握ったままスプリングに抗して回動し、この回動により角ロッドも回動し、連結した係止片の回動によりその爪と貫通孔の縁との掛止が外れ、続いて、把持部を握ったまま、床板を床基板側の軸の周りに回動させ、貫通孔から係止片、ガイド突起を外し、更に回動して床板を後柵の内側に当接させる構成が開示されている。
【０００４】
上記のように、従来の装置では、床板の係止の解除、折り畳み作業は、把持部を握ったまま、一連の作業で行うことができるとされているとおり、ロックを解除することと、床板を跳ね上げることの二つの動作が少なくとも必要であった。このため、作業性が良くないとの印象が持たれており、事実、作業には慣れが必要であった。また、従来の装置は部品点数が多い複雑な機構であり、製造及び保守に手間も掛かり、コストも高くつくということも問題であった。
【０００５】
【特許文献１】特開平９−２４９１３１号
【発明の開示】
【発明が解決しようとする課題】
【０００６】
本発明は前記の実情に鑑みてなされたもので、その課題は、床板のロックを解除し跳ね上げる操作を一つの動作で行なえるようにすることである。また、本発明の他の課題は、単純な構成を有し、製造及び保守が容易で、廉価に製造可能な床板ロック装置を提供することである。
【課題を解決するための手段】
【０００７】
前記の課題を解決するため、本発明は、床板を一辺側にて回転可能にボックス本体に軸支し、他辺側を跳ね上げ可能に設けた構成を有する物流用ボックスにおいて、床板の他辺側に位置し、他辺と並行の軸状を有し、その軸周りに回転可能に上記床板に軸支され、軸芯から半径方向外方へ離れた部分に係合部を有する可動ロック部と、上記可動ロック部の係合部と係脱可能な係合相手部を有する固定ロック部と、上記係合部と係合相手部の係合方向へ可動ロック部を付勢するばね手段と、上記可動ロック部を軸周りに回転操作するために可動ロック部に設けたハンドルを有するものとするという手段を講じたものである。
【０００８】
本発明の床板ロック装置は物流用ボックスに適用される。この物流用ボックスが、その床板を平行な２辺の一辺側にて回転可能にボックス本体に軸支し、他辺側を跳ね上げ可能に設けた構成を有する点は従来のものと共通である。ここで、跳ね上げとは、パネル状部材がその一側辺部分を軸として全体が回転する様を意味している。また、物流用ボックスには車輪を有するカゴ車又はカゴ台車と呼ばれるもの、車輪を有しないロールボックス又はロールボックスパレットなどと呼ばれるものが含まれるが、そのどちらも本発明の対象である。
【０００９】
本発明の構成において、床板は、その他辺側に、それと並行する軸状を有し、その軸周りに回転可能に床板に軸支され、回転の軸芯から半径方向外方へ離れた部分に係合部を有する可動ロック部を有している。この種の物流用ボックスにおいて、その平面形状が四辺形であることは常識的事項であるから床板の平面形状も四辺形である。本発明ではその平行な２辺の一方を一辺側と呼び、他方を他辺側と呼ぶ。
【００１０】
可動ロック部は、回転することによりロック状態になるという構成を有するもので、回転することがロック（従って、アンロックとも）と結びついている。上記可動ロック部が直線状の軸から成るとともに、回転の軸から半径方向外方へクランク状に曲げられた係合部を、その軸の両端部に有しているという構成は、本発明にとって好ましいものである。
【００１１】
上記ロック部材の係合部と係合可能な係合相手部を有する固定ロック部は、ロック部材が床板の側に設けられているので、ボックス本体の側に設けられることになる。しかしながら、逆にロック部材をボックス本体の側に設け、固定ロック部を床板の側に設けることも可能であり、本発明における設計変更の範囲内のことである。そして、固定ロック部がクランク状の係合部が係合及び離脱するフック形状の部分から成る構成は、本発明の装置にとって好ましいものである。
【００１２】
本発明の装置は、さらに上記係合部と係合相手部の係合方向へ可動ロック部を付勢するばね手段と、上記可動ロック部を軸周りに回転操作するために可動ロック部に設けたハンドルを有して構成される。可動ロック部は、ばね手段によって係合方向へ位置付けられ、その結果保持されているロック状態を解除するためにハンドルを用いる。ハンドルは、同時に床板を跳ね上げるためにも用いられる。
【発明の効果】
【００１３】
本発明は以上のように構成されており、床板のロックを解除し跳ね上げる操作をハンドル一つの動作で行なえるという効果を奏する。また、本発明によれば単純な構成を有し、製造及び保守が容易で、廉価に製造可能な床板ロック装置を提供することができる。
【発明を実施するための最良の形態】
【００１４】
以下図示の実施形態を参照して本発明をより詳細に説明する。図１は本発明に係る床板ロック装置２０を適用した物流用ボックス１０を示すもので、この物流用ボックス１０は車輪１１を有するボックス本体１２を持ち、ボックス本体１２には床板１５がその一辺側１３にて回転可能に軸支され、他辺側１４にて跳ね上げ可能に設けられている。
【００１５】
床板１５の形態については図３に平面形状が詳細に示されており、図示のものは、プラスチックの成形品より成る。床板１５は、一辺側１３に突設された複数個の軸受部１６にてボックス本体１２の側に軸支され、他辺側１４の方が上方へ回転可能（即ち、跳ね上げ可能）に設けられている。上記ボックス本体１２は、正面を開放し、そこに横棒１７が軸支部１７ａにて軸支されるとともに、先端フック部１７ｂの係脱にてパネル枠１８と開閉可能になっている。周囲の三面はパネル枠１８に取り付けられたパネル１９によって囲まれている。
【００１６】
上記のような構成を有する物流用ボックス１０において、本発明の床板ロック装置２０は、床板１５の他辺側１４（正面側）に位置し、他辺と並行の軸状を有し、その軸周りに回転可能に上記床板１５に軸支され、軸芯から半径方向外方へ離れた部分に係合部２１を有する、可動ロック部２２を具備している（図３参照）。図示の例における可動ロック部２２は、左右対称に設けられた一対の可動ロック部（左右を区別するときはＬ、Ｒを付し２２Ｌ、２２Ｒとする。）から成り、それぞれの外方の両端部を半径方向外方へクランク状に曲げ加工して形成された、上記係合部２１（同様に左右を区別するときはＬ、Ｒを付し２１Ｌ、２１Ｒとする。）を有している（図３参照）。
【００１７】
図示の例における左右の可動ロック部２２Ｌ、２２Ｒは、中央部に設けられているハンドル２３によって一体化されている。２３ａはビスから成る止め具であり、左右の可動ロック部２２Ｌ、２２Ｒとハンドル２３は、この止め具２３ａによって一体に結合されている（図３参照）。なお、可動ロック部２２が左右一対の部材から成ることは必要な条件ではなく設計上のことであり、１本の軸状部材を用いて形成できることは当然である。
【００１８】
本発明の床板ロック装置２０は、上記可動ロック部２２の係合部２１と係脱可能な係合相手部２４を有する固定ロック部２５を具備している（図４参照）。また、実施形態では左右にロック構成を有するので、係合相手部２４と固定ロック部２５それぞれＬ、Ｒを付し２４Ｌ、２４Ｒ、２５Ｌ、２５Ｒとして区別している（図４Ａ、Ｂ参照）。また、係合相手部２４Ｌ、２４Ｒを有する固定ロック部２５Ｌ、２５Ｒは、ボックス本体１２の他辺側１４に、フック形状が後方（図４Ｃ及び図７の←方向）を向くように設けられている。
【００１９】
さらに、上記係合部２１と係合相手部２４の係合方向へ可動ロック部２２を付勢するばね手段２６（左右を区別するときはＬ、Ｒを付し２６Ｌ、２６Ｒとする。）が可動ロック部２２に関連して設けられている。実施形態におけるばね手段２６Ｌ、２６Ｒはコイルばねから成り、コイルを軸状の可動ロック部２２Ｌ、２２Ｒに巻き付けるように取り付け、ばねの一端部２７ａを可動ロック部２２Ｌ、２２Ｒの軸に開けた穴に差し込み、ばねの他端部２７ｂを長く形成し床板１５に当たって止まるようにされている（図８）。
【００２０】
前記のハンドル２３は、上記可動ロック部２２Ｌ、２２Ｒを軸周りに回転操作するために設けられているもので、床板１５の他辺側１４に形成された操作口部２８に配置されている。２９は操作部分であり、ハンドル２３の止め具２３ａから離れた側にあって、手の指で操作し易いように凹状に整形されている。なお、軸状の可動ロック部２２Ｌ、２２Ｒは金属棒材から成ることが望ましい、しかし、ハンドルは金属製の必要はなく樹脂製でも十分である。
【００２１】
このように構成されている本発明によれば、物流用ボックス１０の使用状態において、床板１５は可動ロック部２２Ｌ、２２Ｒがボックス本体１２の固定ロック部２５Ｌ、２５Ｒに係合し、かつ、係合方向へばね手段２６Ｌ、Ｒによって付勢されているので、しっかりとボックス本体１２に固定されている。物流用ボックス１０を片付けるときには、ハンドル２３を操作する。即ち、図６Ｃに示すようにハンドル２３の操作部分２９を引き上げることで、可動ロック部２２の係合部２１が図７に鎖線で示した位置に動いて、固定ロック部２５との係合から外れるので、床板１５を跳ね上げることが可能になる。
【００２２】
なお、跳ね上げられた床板１５は、図１に鎖線で示したように背面枠の下部正面に重ねられるが、左側のパネル枠１８をさらにその正面に畳むことで、物流用ボックス１０は背面と右側のパネル枠が、平面から見てＬ字型を形成する状態になる。このようにしてＬ字型になった物流用ボックス１０はＬ字の角を合わせて重ねておけるので、片付けるときに場所を取らずに済むものである。
【図面の簡単な説明】
【００２３】
【図１】本発明に係る床板ロック装置を適用した物流用ボックスの一例を示す正面説明図である。
【図２】同じく右側面を示す説明図である。
【図３】同上における床板の例を示す平面図である。
【図４】同じく床板ロック装置のみの一例を示すもので、Ａは正面図、Ｂは平面図、Ｃは側面図である。
【図５】同じく床板ロック装置と物流用ボックスを示すもので、Ａは正面図、Ｂは平面図である。
【図６】同じく床板ロック装置の作用を示すもので、Ａは平面図、Ｂは使用状態における側面図、Ｃはハンドル操作時の側面図である。
【図７】同じく床板ロック装置の作用を示す拡大説明図である。
【図８】同じくばね手段の構成を示す平面説明図である。
【符号の説明】
【００２４】
１０  物流用ボックス
１２  ボックス本体
１３  一辺側
１４  他辺側
１５  床板
１６  軸受け部
１８  パネル枠
１９  パネル
２０  床板ロック装置
２１（２１Ｌ、２１Ｒ）  係合部（左右）
２２（２２Ｌ、２２Ｒ）  ロック部（左右）
２３  ハンドル
２４（２４Ｌ、２４Ｒ）  係合相手部（左右）  
２５（２５Ｌ、２５Ｒ）  固定ロック部（左右）  
２６（２６Ｌ、２６Ｒ）  ばね手段（左右）
２８  操作口部
２９  操作部分
【図１】
2015003668.tif 000003
【図２】
2015003668.tif 000004
【図３】
2015003668.tif 000005
【図４】
2015003668.tif 000006
【図５】
2015003668.tif 000007
【図６】
2015003668.tif 000008
【図７】
2015003668.tif 000009
【図８】
2015003668.tif 000010